(57)【要約】【課題】画像編集の利便性を向上することのできる画像処理装置、画像編集方法及び画像処理プログラムを提供する。【解決手段】制御部がＣＰＵのレジスタに編集情報ＩＤが格納されていると判定した場合（Ｓ１２でＹＥＳ）、表示制御部は、Ｓ１０で取得した読取画像情報に基づきプレビュー画像情報を作成する（Ｓ２４）。編集情報取得部は、その編集情報ＩＤに対応する編集情報を記憶部から読み出す（Ｓ２５）。第１編集処理部は、取得されたキーワード情報が示すキーワードが、前記読取画像情報が示す読取画像に含まれているか否かを判定し（Ｓ２６）、含まれていると判定した場合（Ｓ２６でＹＥＳ）、その読取画像情報のうち取得されたキーワード情報に対応するキーワード対応情報に対し、前記取得された編集内容情報に基づいて編集処理を行い（Ｓ２７）。【選択図】図４
2015088986.tif 000002
【特許請求の範囲】
【請求項１】
画像情報を取得する画像情報取得手段と、
キーワード情報を含む編集情報を記憶媒体から取得する編集情報取得手段と、
前記編集情報取得手段により前記記憶媒体から編集情報が取得され、且つ、前記画像情報取得手段により画像情報が取得されると、その取得画像情報のうち、取得されたキーワード情報に対応するキーワード対応情報の編集処理を行う第１編集処理手段と、
を備える画像処理装置。
【請求項２】
前記編集情報は、前記キーワード情報に対応する編集内容情報を含み、
前記第１編集処理手段は、前記取得画像情報に含まれる前記キーワード対応情報に対し、前記編集情報取得手段により取得された編集情報に含まれる編集内容情報に基づいて編集処理を行う請求項１に記載の画像処理装置。
【請求項３】
前記第１編集処理手段は、取得されたキーワード情報が示すキーワードが、前記取得画像情報が示す取得画像に含まれているか否かを判定し、含まれていると判定した場合に、前記キーワード対応情報に対し、前記取得されたキーワード情報に対応する編集内容情報に基づいて編集処理を行う請求項２に記載の画像処理装置。
【請求項４】
表示手段と、
前記取得画像情報が示す取得画像を前記表示手段に表示させる表示制御手段と、
入力された指示に基づいて、前記表示制御手段の制御により前記表示手段に表示された前記取得画像の中から、編集対象に対応する文字を特定する特定処理手段と、
入力された指示に基づいて、前記編集対象に対する編集内容を設定する設定処理手段と、
前記特定処理手段により特定された前記文字を示す情報を前記キーワード情報とし、前記設定処理手段により設定された編集内容を示す編集内容情報とともに前記編集情報として前記記憶媒体に格納する格納手段と、
を更に備える請求項２又は３に記載の画像処理装置。
【請求項５】
前記編集対象のキーワード対応情報に対し、前記設定処理手段により設定された編集内容を示す編集内容情報に基づいて編集処理を行う第２編集処理手段を更に備える請求項４に記載の画像処理装置。
【請求項６】
画像情報を取得する第１ステップと、
キーワード情報を含む編集情報を記憶媒体から取得する第２ステップと、
前記第２ステップで前記記憶媒体から編集情報が取得され、且つ、前記第１ステップで画像情報が取得されると、その取得画像情報のうち、取得されたキーワード情報に対応するキーワード対応情報の編集処理を行う第３ステップと、
を備える画像編集方法。
【請求項７】
コンピューターに、
画像情報を取得する第１ステップと、
キーワード情報を含む編集情報を記憶媒体から取得する第２ステップと、
前記第２ステップで前記記憶媒体から編集情報が取得され、且つ、前記第１ステップで画像情報が取得されると、その取得画像情報のうち、取得されたキーワード情報に対応するキーワード対応情報の編集処理を行う第３ステップと、
を含む処理を実行させるための画像処理プログラム。
【発明の詳細な説明】
【技術分野】
【０００１】
本発明は、複合機やスキャナーなどの画像処理装置に関し、特に、画像処理装置が取得した画像の編集技術に関する。
【背景技術】
【０００２】
スキャンした原稿画像をタッチパネル式表示部に表示し、その表示画像に対するタッチパネルを用いた編集作業を受け付け、その編集後の原稿画像を印刷出力できる画像処理装置が知られている（例えば下記特許文献１参照）。
【０００３】
この技術によれば、例えば、原稿画像を印刷しようとして画像処理装置の前に移動したユーザーが原稿の中に変更すべき箇所を発見した場合に、手書き修正等を行うべく自席に戻る必要がなくなる。
【先行技術文献】
【特許文献】
【０００４】
【特許文献１】特開２００６−１２６４０１号公報
【発明の概要】
【発明が解決しようとする課題】
【０００５】
ところで、同じテンプレートで作成されるテキスト原稿にあっては、該原稿が作成される都度、印刷出力の際にテンプレートの一部を変更する必要が生じ得る。例えば、日付入力欄を有するテンプレートを利用して作成されるテキスト原稿にあっては、作成の都度、日付を書き換える必要がある。しかし、日付の書き換えがたびたび失念されるというケースが考えられる。このようなケースにおいては、特許文献１の技術の採用によって自席に戻ることなくその場で変更箇所の修正をすることができるが、修正の必要性が生じる度に画像処理装置で修正作業を行うのは煩わしい。
【０００６】
本発明は、このような問題に鑑みてなされたものであり、その目的は、画像編集の利便性を向上することのできる画像処理装置、画像編集方法及び画像処理プログラムを提供することである。
【課題を解決するための手段】
【０００７】
本発明の一の局面に係る画像処理装置は、画像取得手段と、編集情報取得手段と、第１編集処理手段とを備える。前記画像取得手段は、画像情報を取得する。前記編集情報取得手段は、キーワード情報を含む編集情報を記憶媒体から取得する。前記第１編集処理手段は、前記編集情報取得手段により前記記憶媒体から編集情報が取得され、且つ、前記画像情報取得手段により画像情報が取得されると、その取得画像情報のうち、取得されたキーワード情報に対応するキーワード対応情報の編集処理を行う。
【０００８】
本発明の他の局面に係る画像編集方法は、第１ステップと、第２ステップと、第３ステップとを有する。前記第１ステップは、画像情報を取得する。前記第２ステップは、キーワード情報を含む編集情報を記憶媒体から取得する。前記第３ステップは、前記第２ステップで前記記憶媒体から編集情報が取得され、且つ、前記第１ステップで画像情報が取得されると、その取得画像情報のうち、取得されたキーワード情報に対応するキーワード対応情報の編集処理を行う。
【０００９】
本発明の他の局面に係る画像処理プログラムは、コンピューターに、第１ステップ、第２ステップ、第３ステップを含む処理を実行させる。前記第１ステップは、画像情報を取得する。前記第２ステップは、キーワード情報を含む編集情報を記憶媒体から取得する。前記第３ステップは、前記第２ステップで前記記憶媒体から編集情報が取得され、且つ、前記第１ステップで画像情報が取得されると、その取得画像情報のうち、取得されたキーワード情報に対応するキーワード対応情報の編集処理を行う。
【発明の効果】
【００１０】
本発明によれば、画像編集の利便性を向上することができる。
【図面の簡単な説明】
【００１１】
【図１】本発明の実施形態に係る画像処理装置の内部構成を示す模式図である。
【図２】画像処理装置の電気的な構成の一例を示すブロック図である。
【図３】制御部により行われる画像の編集処理のフローチャートである。
【図４】制御部により行われる画像の編集処理のフローチャートである。
【図５】編集設定画面の一例を示す図である。
【図６】キーワード選択画面の一例を示す図である。
【図７】編集画面の一例を示す図である。
【図８】編集画面の一例を示す図である。
【発明を実施するための形態】
【００１２】
以下、図面を参照しながら、本発明の実施形態について説明する。なお、以下に説明される実施形態は本発明を具体化した一例にすぎず、本発明の技術的範囲を限定するものではない。
【００１３】
まず、図１及び図２を参照して本発明の実施形態に係る画像処理装置１の概略構成について説明する。画像処理装置１は、画像読取機能やファクシミリー機能、画像形成機能などを備えた複合機である。図１に示されるように、画像処理装置１は、画像読取部２、原稿カバー３、自動原稿送り装置（Auto Document Feeder；以下、ＡＤＦという）４、画像形成部５、操作表示部６（図２参照）、給紙カセット７、通信インターフェース（Ｉ／Ｆ）部８（図２参照）、及びこれらを制御する制御部９（図２参照）を備えている。なお、本発明に係る画像処理装置の一例として複合機である画像処理装置１を例示して説明するが、本発明はこれに限られず、例えばプリンター、ファクシミリー装置、複写機あるいはスキャナー装置も本発明に係る画像処理装置に該当する。
【００１４】
画像読取部２は、画像取得手段の一例であり、原稿から画像データを読み取る画像読取処理を実行する。図１に示されるように、画像読取部２は、コンタクトガラス１０、読取ユニット１１、ミラー１２，１３、光学レンズ１４及びＣＣＤ（Charge Coupled Device）１５などを備えている。
【００１５】
読取ユニット１１は、ＬＥＤ光源１６及びミラー１７を備えており、ステッピングモーター等の駆動モーターを用いた移動機構（不図示）により副走査方向１８（図１における左右方向）へ移動可能に構成されている。そして、前記駆動モーターにより読取ユニット１１が副走査方向１８へ移動されると、ＬＥＤ光源１６から画像読取部２の上面に設けられたコンタクトガラス１０へ向けて照射される光が副走査方向１８へ走査される。
【００１６】
ミラー１７は、ＬＥＤ光源１６から光が照射されたときに、原稿又は原稿カバー３の裏面で反射した反射光をミラー１２へ向けて反射させる。ミラー１７で反射した光は、ミラー１２，１３により光学レンズ１４に導かれる。光学レンズ１４は、入射した光を集光してＣＣＤ１５に入射させる。
【００１７】
ＣＣＤ１５は、受光した光をその光量（輝度の強度）に応じた電気信号（電圧）に変換して制御部９へ出力する光電変換素子である。制御部９では、ＣＣＤ１５からの電気信号を画像処理することにより原稿の画像データを生成する。なお、本実施形態では、撮像素子としてＣＣＤ１５を用いた例について説明するが、ＣＣＤ１５による読取機構に代えて、ＣＣＤ１５よりも焦点距離の短い密着型のイメージセンサー（ＣＩＳ: Contact Image Sensor）を用いた読取機構を適用することも可能である。
【００１８】
画像読取部２には、原稿カバー３が回動自在に設けられている。原稿カバー３が回動操作されることにより、画像読取部２の上面のコンタクトガラス１０が開閉される。原稿カバー３の回動支持部には、リミットスイッチなどのカバー開検出センサー（不図示）が設けられている。ユーザーが原稿の画像を読み取らせようとして原稿カバー３が開けられると、そのカバー開検出センサーが作動して、その検出信号（カバー開検出信号）が制御部９に出力される。
【００１９】
ここで、画像読取部２による原稿画像の読み取りは、以下の手順で行われる。まず、原稿がコンタクトガラス１０上に載置され、その後、原稿カバー３が閉姿勢にされる。その後、操作表示部６から画像読取指示が入力されると、読取ユニット１１を副走査方向１８の右向きへ移動させつつＬＥＤ光源１６から連続して順次１ライン分の光を照射させる。そして、原稿又は原稿カバー３の裏面からの反射光がミラー１７，１３，１４及び光学レンズ１４を介してＣＣＤ１５に導かれ、ＣＣＤ１５にて受光した光量に応じた光量データが順次制御部９に出力される。制御部９では、光が照射された領域全体における光量データが得られると、その光量データを処理することにより、前記光量データから原稿の画像データを生成する。
【００２０】
なお、原稿カバー３にＡＤＦ４が設けられている。ＡＤＦ４は、原稿セット部１９にセットされた一以上の原稿を複数の搬送ローラーにより順次搬送して、コンタクトガラス１０上に定められた自動原稿読取位置を副走査方向１８の右向きへ通過するように原稿を移動させる。ＡＤＦ４による原稿の移動時は、前記自動原稿読取位置の下方に読取ユニット１１が配置され、この位置で読取ユニット１１により移動中の原稿の画像が読み取られる。原稿セット部１９には、接点信号を出力可能な機械的な原稿検出センサー（不図示）が設けられている。原稿セット部１９に原稿がセットされると、前記原稿検出センサーが作動して、その検出信号（原稿検出信号）が制御部９に出力される。
【００２１】
図１に示されるように、画像形成部５は、画像読取部２で読み取られた画像データ、又は外部のパーソナルコンピューター等の情報処理装置から通信Ｉ／Ｆ部８を通じて入力された印刷ジョブに基づいて画像形成処理（印刷処理）を実行する電子写真方式の画像形成手段である。具体的には、画像形成部５は、感光体ドラム２０、帯電部２１、現像部２２、トナーコンテナ２３、転写ローラー２４、除電部２５、定着ローラー２６、加圧ローラー２７などを備えている。なお、本実施形態では、電子写真方式の画像形成部５を例にして説明するが、画像形成部５は電子写真方式のものに限られず、インクジェット記録方式のものであっても、或いはそれ以外の記録方式又は印刷方式のものであってもかまわない。
【００２２】
ここで、画像形成部５では、給紙カセット７から供給される印刷用紙に対する画像形成処理が以下の手順で行われる。まず、通信Ｉ／Ｆ部８を通じて印刷指示を含む印刷ジョブが入力されると、帯電部２１により感光体ドラム２０が所定の電位に一様に帯電される。次に、レーザスキャナユニット（Laser Scanner Unit;ＬＳＵ  不図示）により感光体ドラム２０の表面に印刷ジョブに含まれる画像データに基づく光が照射される。これにより、感光体ドラム２０の表面に静電潜像が形成される。そして、感光体ドラム２０上の静電潜像は現像部２２によりトナー像として現像（可視像化）される。なお、現像部２２には、トナーコンテナ２３からトナー（現像剤）が補給される。続いて、感光体ドラム２０に形成されたトナー像は転写ローラー２４により印刷用紙に転写される。その後、印刷用紙に転写されたトナー像は、その印刷用紙が定着ローラー２６及び加圧ローラー２７の間を通過して排出される際に定着ローラー２６で加熱されて溶融定着する。なお、感光体ドラム２０の電位は除電部２５で除電される。
【００２３】
図２において、通信Ｉ／Ｆ部８は、画像処理装置１にインターネット又はＬＡＮのような通信ネットワークを介して接続された外部装置との間でデータ通信を実行するインターフェースである。記憶部２８は、ハードディスクドライブ（Hard Disc Drive；ＨＤＤ）等の不揮発性メモリで構成される。
【００２４】
制御部９は、ＣＰＵ（Central Processing Unit）と、ＲＯＭ（Read Only Memory）及びＲＡＭ（Random Access Memory）を有するメモリとを備えて構成される。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは揮発性の記憶部であり、前記ＣＰＵが実行する各種の処理の一時記憶メモリー（作業領域）として使用される記憶部である。制御部９は、前記ＣＰＵが前記ＲＯＭに記憶されているプログラムを実行することにより、各部の動作を制御する。
【００２５】
操作表示部６は、表示部２９と操作部３０とを有する。表示部２９は、例えばカラー液晶ディスプレイなどで構成される。表示部２９は、操作表示部６を操作するユーザーに対して各種の情報を表示する。本実施形態では、ユーザーの指示に基づいて、画像読取部２により読み取られた原稿の画像（以下、読取画像という）がプレビュー画像として表示部２９に表示される。表示部２９は、表示手段の一例である。前記読取画像は取得画像の一例である。
【００２６】
操作部３０は、表示部２９に隣接配置された各種の押しボタンキーや表示部２９の表示画面上に配置されるタッチパネルである。操作部３０がユーザーによって操作されることにより、ユーザーによる各種の指示が画像処理装置１に入力される。操作部３０のタッチパネルは、ドラッグ操作（なぞる操作）やタッチ操作などの各種操作を検出することが可能である。
【００２７】
画像処理装置１においては、画像読取部２、画像形成部５、操作表示部６、通信Ｉ／Ｆ部８、記憶部２８及び制御部９が相互にデータの入出力を行うことができるように、各構成要素がデータバス２００を介して接続されている。
【００２８】
ところで、画像処理装置１では、例えばテキスト原稿をコピーする場合に、その一連のコピー動作のうちの読取動作で得られた画像情報（読取画像情報）に対して操作表示部６を用いた編集が可能である。前記編集とは、例えばユーザーにより指定された文字又は文字列（以下、単に文字という）を太字体に変えたり所望の文字に対して下線を付加したりすることである。
【００２９】
すなわち、ユーザーは、画像処理装置１において、操作表示部６に対するドラッグ操作やタッチ操作により、読取画像情報の中から所望の文字を示した編集対象を選択することができる。また、ユーザーは、その編集対象によって示される文字を太字体に変えたりその文字に対して下線を付加したりするといった編集内容を選択することができる。
【００３０】
これに加えて、画像処理装置１では、前記編集において選択された編集対象と編集内容情報とを含む編集情報が所定の記憶媒体に格納される。そして、ユーザーは、その後の別の編集において、以前の編集で用いられた前記編集情報を利用することができる。すなわち、ユーザーは、前記編集情報の格納後に得られた読取画像に対して、その編集情報に基づく編集を行うことができる。
【００３１】
本実施形態では、前記編集情報を記憶する前記記憶媒体として記憶部２８が用いられている。すなわち、本実施形態では、記憶部２８は、操作表示部６に対するドラッグ操作やタッチ操作により選択された編集対象と編集内容とを含む編集情報を記憶する。記憶部２８には、後述する編集情報の記憶指示が入力されるたびに編集情報が蓄積される。そして、記憶部２８に記憶されている編集情報に基づく編集処理の必要性が生じた場合には、その編集情報が記憶部２８から読み出される。
【００３２】
制御部９は、前記編集に関連する機能を実現するための表示制御部３１と、編集情報取得部３２と、第１編集処理部３３と、特定処理部３４と、設定処理部３５と、第２編集処理部３６と、格納処理部３７とを有する。これらの各部は、前記ＣＰＵによりプログラムが実行されることにより、予め定められた各種の処理を行う。以下、これらの各部について説明する。なお、説明の都合上、編集情報取得部３２及び第１編集処理部３３については、特定処理部３４、設定処理部３５、第２編集処理部３６及び格納処理部３７の後に説明を行う。
【００３３】
表示制御部３１は、後述する各種画面Ｇ１〜Ｇ４（図５〜図８参照）を作成して表示部２９に表示させる。表示制御部３１は、原稿の画像が画像読取部２により読み取られた場合、ユーザーによる指示に従い、その読取画像情報に基づくプレビュー画像情報を作成する。この作成指示は、後述する編集設定画面Ｇ１（図５参照）におけるＯＮボタンＢ１の操作により入力される。前記プレビュー画像情報は、前記読取画像情報の解像度を調整した画像である。表示制御部３１は、前記プレビュー画像情報が示す後述のプレビュー画像を所定の表示領域（プレビュー表示領域Ｗ１（図６参照））に嵌め込んだ画面（後述するキーワード選択画面Ｇ２（図６参照））を表示部２９に表示させる。また、表示制御部３１は、編集情報が記憶部２８から読み出されると、この編集情報に基づきキーワードリスト情報を作成する。そして、表示制御部３１は、このキーワードリスト情報が示す後述のキーワードリストを画面（キーワード選択画面Ｇ２（図６参照））の所定の表示領域（リスト表示領域）に嵌め込み、この画面Ｇ２を表示部２９に表示させる。各画面Ｇ１〜Ｇ４については後述する。表示制御部３１は、表示制御手段の一例である。
【００３４】
特定処理部３４は、表示制御部３１の制御によって表示部２９に表示されたプレビュー画像の中から、入力された指示に基づいて編集対象を特定する。本実施形態では、キーワード選択画面Ｇ２のプレビュー表示領域Ｗ１における所望の表示領域に対しドラッグ操作が行われると、特定処理部３４は、そのドラッグ操作が行われた表示領域の座標情報（画面上の位置情報）に基づいて前記読取画像情報における編集対象を特定する。さらに、特定処理部３４は、所定の文字認識処理によりその編集対象によって示される文字を特定する。この特定された文字を示す文字情報は、後述の格納処理部３７により記憶部２９にキーワード情報として格納される。特定処理部３４は、特定処理手段に相当する。
【００３５】
設定処理部３５は、特定処理部３４により特定された編集対象に対する編集内容を設定する。本実施形態では、設定処理部３５は、後述する編集画面Ｇ３（図７参照）において編集内容が選択されると、その編集内容を特定処理部３４により特定された編集対象に対する編集内容として設定する。この編集内容の選択方法については後述する。設定処理部３５は、設定処理手段に相当する。
【００３６】
第２編集処理部３６は、設定処理部３５により設定された編集内容に基づき、特定処理部３４により特定された編集対象の編集処理を行う。すなわち、読取画像情報における編集対象が特定処理部３４により特定され、且つ、編集内容が設定処理部３５により設定されると、第２編集処理部３６は、特定処理部３４により特定された編集対象に対し、設定処理部３５により設定された編集内容を反映する。第２編集処理部３６は、第２編集処理手段に相当する。
【００３７】
格納処理部３７は、前記編集対象によって示される文字が特定処理部３４により特定され、且つ、その編集対象に対する編集内容が設定処理部３５により設定されると、その文字をキーワードとし、このキーワードを示す前記キーワード情報と前記編集内容を示す編集内容情報と編集情報として記憶部２８に格納する格納手段として機能する。
【００３８】
編集情報取得部３２は、操作部３０を用いて選択された編集情報が記憶部２８に格納された後に、操作部３０から出力される操作信号に基づき、この記憶部２８内の編集情報に基づく編集処理の必要性が生じた場合に、その編集情報を記憶部２８から取得する編集情報取得手段として機能する。
【００３９】
第１編集処理部３３は、操作部３０から出力される操作信号に基づき、編集情報取得部３２により記憶部２８から前記編集情報が読み出された場合に、この編集情報に基づく編集処理を行う。具体的には、編集処理部３３は、ユーザーの指示に基づいて特定の編集情報が編集情報取得部３２により取得されると、その編集情報に含まれる前記キーワード情報が示す後述のキーワードが前記読取画像に含まれているか否かを判定する。そして、編集処理部３３は、このようなキーワードが含まれていると判定すると、前記読取画像のうち前記キーワードが表示されている領域の画像情報（キーワード対応情報）に対し、前記編集情報に含まれる編集内容情報に基づく編集処理を行う。第１編集処理部３３は、第１編集処理手段に相当する。
【００４０】
制御部９は、第１編集処理部３３及び第２編集処理部３６による編集処理後の画像情報を出力する。本実施形態では、制御部９は、前記画像情報に基づく画像形成を画像形成部５に行わせるため、その画像情報を画像形成部５に出力する。
【００４１】
次に、図３乃至図８を参照しつつ、制御部９の各部３１〜３６による具体的な編集処理について説明する。制御部９は、原稿セット部１９に原稿がセットされた状態でコピー指示が行われた場合に、この編集処理を実行する。なお、図３、図４のフローチャートにおいてステップＳ１、Ｓ２、・・・は処理手順（ステップ）番号を表している。
【００４２】
表示部２９に初期画面（不図示）が表示されている状態で、操作部３０のコピースタートボタン（不図示）が操作されると（ステップＳ１でＹＥＳ）、例えば図５に示すように、編集設定画面Ｇ１が表示部２９に表示される（ステップＳ２）。
【００４３】
図５に示す編集設定画面Ｇ１には、画像読取部２による読取画像に基づくプレビュー画像の表示の要否を入力するための表示指示入力部３７を有する。表示指示入力部３７は、プレビュー画像の表示指示を入力するためのＯＮボタンＢ１と、プレビュー画像の非表示指示を入力するためのＯＦＦボタンＢ２とを有する。ＯＮボタンＢ１が操作されると、このボタンＢ１が強調表示されるとともに、プレビュー画像を表示させる表示設定がされる。また、ＯＦＦボタンＢ２が操作されると、このボタンＢ２が強調表示されるとともに、プレビュー画像を非表示とする非表示設定がされる。プレビュー画像の表示・非表示の各設定値は、前記ＣＰＵのレジスタ（不図示）に記憶される。
【００４４】
また、図５に示す編集設定画面Ｇ１は、編集情報ＩＤ（Identification）を入力するためのＩＤ表示部３８を有する。前記編集情報ＩＤは、１又は複数の編集情報からなる後述の編集情報（図７、図８参照）が新規に作成される際に、その編集情報を識別して特定するための識別情報として編集情報ＩＤが制御部９により生成（発行）される。その編集情報ＩＤは、対応する編集情報のユーザーに通知される。この通知により、ユーザーは、以後の新たな編集を行う際に、この編集情報ＩＤを用いて過去の編集情報を呼び出してこの編集情報を利用することができる。操作部３０を用いて前記編集情報ＩＤが入力されると、その編集情報ＩＤがＩＤ表示部３８に表示されるとともに前記ＣＰＵのレジスタに記憶される。
【００４５】
編集設定画面Ｇ１は、原稿のコピーを指示するためのコピーボタンＢ３を有する。このコピーボタンＢ３が操作されると、制御部９は、画像読取部２に原稿画像の読取動作を行わせる。
【００４６】
編集設定画面Ｇ１において、ＯＮボタンＢ１が操作された場合（ステップＳ３でＹＥＳ）、このボタンＢ１が強調表示されるとともに、プレビュー画像を表示させるプレビュー画像表示設定がされ（ステップＳ４）、ステップＳ７に進む。ＯＮボタンＢ１が操作されず（ステップＳ３でＮＯ）、ＯＦＦボタンＢ２が操作された場合（ステップＳ５でＹＥＳ）、このボタンＢ２が強調表示されるとともに、プレビュー画像を表示させないプレビュー画像非表示設定がされ（ステップＳ６）、ステップＳ７に進む。なお、ＯＦＦボタンＢ２が操作されない場合（ステップＳ５でＮＯ）、ステップＳ６の処理がスキップされてステップＳ７に進む。
【００４７】
ステップＳ７では、制御部９は、ＩＤ表示部３８に前記編集情報ＩＤが入力されたか否かを判定する。制御部９は、操作部３０を用いて前記編集情報ＩＤが入力された場合（ステップＳ７でＹＥＳ）、その編集情報ＩＤをＩＤ表示部３８に表示させるとともに記憶し（ステップＳ８）、ステップＳ９に進む。なお、前記編集情報ＩＤが入力されない場合は（ステップＳ７でＮＯ）、ステップＳ８の処理がスキップされてステップＳ９に進む。
【００４８】
ステップＳ９では、制御部９は、コピーボタンＢ３が操作されたか否かを判定する。制御部９は、コピーボタンＢ３が操作されたと判定すると（ステップＳ９でＹＥＳ）、制御部９が画像読取部２に原稿画像の読取動作を行わせる（ステップＳ１０）。これにより、読取画像情報が得られる。制御部９は、コピーボタンＢ３が操作されていないと判定すると（ステップＳ９でＮＯ）、ステップＳ３の処理に戻る。ＯＮボタンＢ１もＯＦＦボタンＢ２も操作されることなくコピーボタンＢ３が操作された場合、本実施形態では、前記プレビュー表示設定がされたものとして処理を進める。ただし、これに限らず、プレビュー非表示設定がされたものとして処理を進めてもよいし、ＯＮボタンＢ１又はＯＦＦボタンＢ２に対する操作を行うようにユーザーに指示し、ユーザーによりいずれかのボタンが操作されるまで、コピーボタンＢ３に対する操作を受け付けないようにしてもよい。
【００４９】
次に、制御部９は、現在、ＯＮボタンＢ１の操作に基づく前記プレビュー画像表示設定がなされているか、ＯＦＦボタンＢ２の操作に基づく前記プレビュー画像非表示設定がなされているかを判定する（ステップＳ１１）。
【００５０】
前記プレビュー画像表示設定がなされている場合、プレビュー画像を用いた編集対象の選択やその編集対象に対する編集内容の選択を行うことが可能となる。前記プレビュー画像非表示設定がなされている場合、編集対象の文字を選択するためのプレビュー画像が表示部２９に表示されない。そのため、ユーザーは、プレビュー画像を用いた編集対象の選択やその編集対象に対する編集内容の選択を行うことはできない。すなわち、本実施形態では、表示指示入力部３７における設定値（プレビュー画像の表示又は非表示）に応じて、編集対象及び編集内容の選択の可否が決まる。
【００５１】
制御部９は、前記プレビュー画像表示設定がなされていると判定すると（ステップＳ１１でＹＥＳ）、前記編集情報ＩＤが前記ＣＰＵの前記レジスタに格納されているか否かを判定する（ステップＳ１２）。
【００５２】
操作部３０を用いて前記編集情報ＩＤが入力され前記ＣＰＵの前記レジスタに格納された場合、この編集情報ＩＤに基づいて記憶部２８から前記編集情報を読み出すことが可能となる。操作部３０を用いて前記編集情報ＩＤが入力されず前記ＣＰＵの前記レジスタに格納されていない場合、記憶部２８から前記編集情報を読み出すことができない。すなわち、本実施形態では、前記編集情報ＩＤの入力の有無に応じて、記憶部２８に格納されている前記編集情報に基づく編集処理の要否が決まる。
【００５３】
制御部９は、前記編集情報ＩＤが前記ＣＰＵの前記レジスタに格納されていないと判定すると（ステップＳ１２でＮＯ）、ステップＳ１３の処理を実行する。ステップＳ１３では、表示制御部３１が、ステップＳ１０の読取動作で得られた読取画像情報に基づいてプレビュー画像情報を作成し、表示制御部３１が、このプレビュー画像情報を用いて、例えば図６に示すようなキーワード選択画面Ｇ２を表示部２９に表示させる。
【００５４】
図６に示すキーワード選択画面Ｇ２は、プレビュー表示領域Ｗ１を有する。このプレビュー表示領域Ｗ１には、表示制御部３１により作成された前記プレビュー画像情報に基づくプレビュー画像が表示される。本実施形態においては、ユーザーは、読取画像における編集対象やその編集対象に対する編集内容の選択をこのプレビュー画像を用いて行うことが可能である。また、キーワード選択画面Ｇ２は、リスト表示領域Ｗ２及び編集開始ボタンＢ４を有する。
【００５５】
プレビュー表示領域Ｗ１に表示されているプレビュー画像のうち編集対象の表示部分に対して例えばドラッグ操作がなされることにより編集対象が選択されると（ステップＳ１４でＹＥＳ）、この編集対象によって示される文字がキーワードとして抽出される。この抽出されたキーワードがリスト表示領域Ｗ２にリスト表示される（ステップＳ１５）。なお、編集対象が選択されない場合（ステップＳ１４でＮＯ）、ステップＳ１５の処理はスキップされる。
【００５６】
制御部９は、編集開始ボタンＢ４が操作されたか否かを判定する（ステップＳ１６）。制御部９は、編集開始ボタンＢ４が操作されたと判定すると（ステップＳ１６でＹＥＳ）、表示制御部３１は、例えば図７に示す編集画面Ｇ３を表示部２９に表示させる（ステップＳ１７）。編集画面Ｇ３は、リスト表示領域Ｗ２に表示されている各キーワードについて編集を行うための画面である。なお、編集開始ボタンＢ４が操作されない場合は（ステップＳ１６でＮＯ）、編集開始ボタンＢ４が操作されるまで、ステップＳ１４〜Ｓ１６の処理が繰り返し行われる。
【００５７】
図７に示す編集画面Ｇ３は、編集情報表示領域Ｗ３を有する。編集情報表示領域Ｗ３には編集情報１００が表示される。本実施形態においては、編集情報１００は、左側にキーワードの表示欄、右側に編集内容の表示欄を有するテーブル形式で表示される。ステップＳ１２で制御部９により前記ＣＰＵの前記レジスタに編集情報ＩＤが格納されていないと判定された場合、編集情報１００を新規に作成するモードとなる。この場合、図７に示すように、編集画面Ｇ３の表示当初は、キーワード選択画面Ｇ２で選択されたキーワードのみが編集情報表示領域Ｗ３に表示される。
【００５８】
また、編集画面Ｇ３には、選択されたキーワードについての編集内容の各表示領域にプルダウンボタンＰＢが設けられている。このプルダウンボタンＰＢに対して例えばタッチ操作が行われると、選択可能な編集内容がプルダウンメニュー表示方式で表示される。
【００５９】
選択可能な編集内容として、例えばキーワードの消去、キーワードの太字体への変換、キーワードへの下線付加、本日の日付への日付変換などがある。このような編集内容の選択が行われると、図８に示すように、編集情報１００の編集内容表示欄に、その選択した編集内容が表示される。図８に示す編集情報１００においては、方法というキーワードに対し、このキーワードを消去する編集処理が選択されている。また、詳細というキーワードに対し、このキーワードを太字変換する編集処理が選択されている。また、ドキュメントというキーワードに対し、下線を付加する編集処理が選択されている。また、日付表示を本日の日付に変換する編集処理が選択されている。
【００６０】
また、図７に示すように、編集画面Ｇ３は、この編集情報表示領域Ｗ３の他、プレビュー表示領域Ｗ４、登録ボタンＢ５及び編集完了ボタンＢ６を有する。プレビュー表示領域Ｗ４には、現在表示されている編集情報１００に基づく編集処理を読取画像情報に対して施した編集画像のプレビュー画像が表示される。編集情報表示領域Ｗ３において編集内容が選択されたり変更されたりするたびに、選択された編集内容がリアルタイムで反映されたプレビュー画像が表示される。
【００６１】
第２編集処理部３６は、前述したように、プルダウンボタンＰＢを用いて編集内容が選択されると（ステップＳ１８でＹＥＳ）、その編集内容をプレビュー表示領域Ｗ１に表示されているプレビュー画像に反映させる（ステップＳ１９）。すなわち、第２編集処理部３６は、前記読取画像に含まれるテキストのうち編集内容が選択されたキーワードに対し、その編集内容に基づいて編集した画像を作成する。そして、表示制御部３１はこの画像のプレビュー画像を作成し、表示制御部３１はこのプレビュー画像をプレビュー表示領域Ｗ４に表示させる。
【００６２】
例えば図８における編集情報１００のように編集内容が選択された場合、図６に示すキーワード選択画面Ｇ２で表示されるプレビュー画像に対し、方法というキーワードが消去され、詳細というキーワードが太字変換されたプレビュー画像が生成され編集画面Ｇ４に表示される。また、このプレビュー画像においては、ドキュメントというキーワードに対して下線が付加され、日付表示が本日の日付に変換されている。これにより、ユーザーは、編集処理後の画像を印刷前に確認することができる。なお、編集内容が選択されない場合は（ステップＳ１８でＮＯ）、ステップＳ１９の処理をスキップしてステップＳ２０の処理が行われる。
【００６３】
ステップＳ１８又はＳ１９の処理後、制御部９は、登録ボタンＢ５が操作されたか否かを判定する（ステップＳ２０）。登録ボタンＢ５が操作されたと制御部９が判定すると（ステップＳ２０でＹＥＳ）、格納処理部３７は、その時点で編集画面Ｇ４に表示されている編集情報１００を記憶部２８に格納する（ステップＳ２１）。ここでは、前記編集情報ＩＤが入力されない状態で編集対象及び編集内容が選択されている。そのため、この場合、新規作成された編集情報１００に対して前記編集情報ＩＤが新たに生成（発行）され、登録ボタンＢ５が操作されると、格納処理部３７は、前記編集情報ＩＤと編集情報１００とを対応付けて記憶部２８に格納する。なお、登録ボタンＢ５が操作されない場合は（ステップＳ２０でＮＯ）、ステップＳ２１の処理をスキップしてステップＳ２２の処理が行われる。
【００６４】
ステップＳ２２では、制御部９は、編集完了ボタンＢ６が操作されたか否かを判定する。編集完了ボタンＢ６が操作されたと制御部９が判定すると（ステップＳ２２でＹＥＳ）、制御部９は、その時点で作成されている編集情報１００を反映した編集画像の印刷出力を画像形成部５に行わせる（ステップＳ２３）。なお、制御部９は、編集完了ボタンＢ６が操作されてないと判定した場合（ステップＳ２２でＮＯ）、ステップＳ１４に戻る。
【００６５】
ステップＳ１２において、制御部９が前記ＣＰＵの前記レジスタに前記編集情報ＩＤが格納されていると判定した場合（ステップＳ１２でＹＥＳ）、表示制御部３１は、ステップＳ１０で取得した前記読取画像情報に基づきプレビュー画像情報を作成する（ステップＳ２４）。また、編集情報取得部３２は、その編集情報ＩＤに対応する編集情報１００を記憶部２８から読み出す（ステップＳ２５）。そして、第１編集処理部３３は、取得されたキーワード情報が示すキーワードが、前記読取画像情報が示す読取画像に含まれているか否かを判定する（ステップＳ２６）。第１編集処理部３３は、含まれていると判定した場合（ステップＳ２６でＹＥＳ）、その読取画像情報のうち取得されたキーワード情報に対応するキーワード対応情報に対し、前記取得された編集内容情報に基づいて編集処理を行い（ステップＳ２７）、ステップＳ２８に進む。第１編集処理部３３は、含まれていないと判定した場合（ステップＳ２６でＮＯ）、ステップＳ２７の処理をスキップしてステップＳ２８に進む。そして、ステップＳ２８では、表示制御部３１は、この編集情報に基づくキーワードリストとステップＳ２４で作成したプレビュー画像又はステップＳ２７の編集処理後の画像とを含むキーワード選択画面Ｇ２を作成して表示部２９に表示させる。
【００６６】
これ以降、制御部９は、ステップＳ１４〜Ｓ２３の処理を行う。このように、編集設定画面Ｇ１においてＯＮボタンＢ１が操作され、且つ、前記編集情報ＩＤが入力された場合に、ステップＳ１４〜Ｓ２３の処理が行われることで、次の処理が可能となる。
【００６７】
ステップＳ１４，Ｓ１５により、ユーザーは、記憶部２８に既に格納されている編集情報のキーワードに加えて新たに追加する編集情報のキーワードを選択することができる。また、ステップＳ１６〜Ｓ１９により、ユーザーは、その新たに追加したキーワードに対して編集内容を設定することができる。そして、ユーザーは、記憶部２８に既に格納されている編集情報に加えて新たに編集情報を追加し、記憶部２８に格納されている編集情報を更新することができる。また、ユーザーは、記憶部２８に既に格納されている編集情報に基づいて編集した画像情報に対し、さらに新たに追加した編集情報に基づいて画像情報を編集することができる。
【００６８】
なお、編集設定画面Ｇ１においてＯＮボタンＢ１が操作され、且つ、前記編集情報ＩＤが入力された場合に表示される編集画面Ｇ３は、前記編集情報ＩＤが入力されなかった場合に表示される編集画面Ｇ３に対し、編集情報１００の上方に前記編集情報ＩＤが表示されること、及び、編集情報１００の表示当初から編集内容が表示されていること以外は略同様である。
【００６９】
ステップＳ１１において、制御部９は、プレビュー画像非表示設定がなされていると判定した場合（ステップＳ１１でＮＯ）、前記編集情報ＩＤが前記ＣＰＵの前記レジスタに格納されているか否かを判定する（ステップＳ２９）。前記編集情報ＩＤが前記ＣＰＵの前記レジスタに格納されていると制御部９が判定すると（ステップＳ２９でＹＥＳ）、編集情報取得部３２は、その編集情報ＩＤに対応する編集情報１００を記憶部２８から読み出す（ステップＳ３０）。そして、第１編集処理部３３は、取得されたキーワード情報が示すキーワードが、前記読取画像情報が示す読取画像に含まれているか否かを判定する（ステップＳ３１）。第１編集処理部３３は、含まれていると判定した場合（ステップＳ３１でＹＥＳ）、その読取画像情報のうち取得されたキーワード情報に対応するキーワード対応情報に対し、前記取得された編集内容情報に基づく編集処理を行う（ステップＳ３２）。第１編集処理部３３は、含まれていないと判定した場合（ステップＳ３１でＮＯ）、ステップＳ３２の処理をスキップする。そして、制御部９は、その編集処理後の画像を画像形成部５に出力して印刷出力を行わせる（ステップＳ２３）。
【００７０】
すなわち、編集設定画面Ｇ１でＯＦＦボタンＢ２が操作され、且つ、前記編集情報ＩＤが入力された場合は、既に記憶部２８に格納されている編集情報に基づいて読取画像を編集して印刷出力を行うことができるのみのモードとなる。よって、編集情報を新たに追加し、その追加した編集情報に基づいて記憶部２８に格納されている編集情報を更新したり、或いは、追加した編集情報に基づいて画像を編集したりすることはできない。
【００７１】
ステップＳ２９において、制御部９は、前記編集情報ＩＤが前記ＣＰＵの前記レジスタに格納されていないと判定した場合（ステップＳ２９でＮＯ）、ステップＳ１０の読取動作で得られた前記読取画像情報に基づく印刷出力を画像形成部５に行わせる（ステップＳ２３）。すなわち、編集設定画面Ｇ１においてＯＦＦボタンＢ２が操作され、且つ、前記編集情報ＩＤが入力されなかった場合は、読取画像に対する画像編集や編集情報の作成や追加はできず、単に読取画像に基づく印刷出力を行うモードとなる。
【００７２】
以上のように、本実施形態では、前記キーワード情報を含む前記編集情報が記憶部２８から読み出され、この編集情報に基づいて、画像読取部２で読み取られた前記読取画像情報のうち、取得されたキーワード情報に対応するキーワード対応情報の編集処理が行われる。これにより、画像読取部２で原稿の画像を読み取るたびに、前記キーワードに対する編集作業を行う必要がなくなる。この結果、画像編集の利便性を向上することができる。
【００７３】
また、本実施形態では、ユーザーは、既に格納されている編集情報に加えて新たに編集情報を追加することができる。また、ユーザーは、その編集情報に基づいて画像を編集したり、その追加した編集情報に基づいて、記憶部２８に格納されている編集情報を更新したりすることができる。これにより、画像編集の利便性をさらに向上することができる。
【００７４】
以上、本発明の好ましい実施形態について説明したが、本発明は前述した内容のものに限られず、種々の変形例が適用可能である。
【００７５】
前記実施形態は、過去の編集時に選択された編集情報を新たな編集時にも利用できる。ただし、新たな編集時に利用できる編集情報はこれに限られない。例えば、編集時とは関係なく作成された編集情報を記憶部２８に予め記憶しておき、その編集情報を新たな編集時にも利用できるようにしてもよい。
【００７６】
また、前記実施形態では、画像読取部２の読取動作で得られた画像を編集対象とした。しかし、編集対象はこの画像に限られるものではなく、画像処理装置１が通信ネットワークを介して他の外部装置と通信可能となっている場合には、その外部装置から通信ネットワークを介して取得した画像を編集対象としてもよい。
【００７７】
また、前記実施形態では、画像読取部２で読み取られ表示部２９で表示した画像（プレビュー画像）のテキストに対してドラッグ操作によりキーワードを選択できるようにした。しかし、キーワードの選択方法はこれに限らず、例えば、文字入力によってキーワードを指定できるようにしてもよい。
【００７８】
また、前記実施形態では、前記編集情報に前記キーワード情報と編集内容情報とを含めたが、少なくともキーワード情報が含まれていればよく、編集内容情報は必須のものではない。
【００７９】
また、前記実施形態では、編集情報１００を画像処理装置１の記憶部２８に格納する。しかし、前記編集情報を格納する記憶媒体は、画像処理装置１の記憶部２８に限らず、例えば、画像処理装置１が通信可能なサーバーなどの他の機器でもよい。
【００８０】
また、前記実施形態では、編集処理後の画像の出力形態として、印刷用紙への印刷を一例として説明したが、他の外部装置への画像データの送信でもよい。
【符号の説明】
【００８１】
２    画像読取部（画像取得手段）
９    制御部
２９  表示部（表示手段）
３１  表示制御部（表示制御手段）
３２  編集情報取得部（編集情報取得手段）
３３  第１編集処理部（第１編集処理手段）
３４  特定処理部（特定処理手段）
３５  設定処理部（設定処理手段）
３６  第２編集処理部（第２編集処理手段）
３７  格納処理部（格納手段）
【図１】
2015088986.tif 000003
【図２】
2015088986.tif 000004
【図３】
2015088986.tif 000005
【図４】
2015088986.tif 000006
【図５】
2015088986.tif 000007
【図６】
2015088986.tif 000008
【図７】
2015088986.tif 000009
【図８】
2015088986.tif 000010